(57)【要約】【目的】複数のＰＤＡ本体を使用した場合に異なるデータが併存することを未然に防止する。【構成】ＰＤＡ本体とポインティング・ペンとから構成されるＰＤＡにおいて，ポインティング・ペンにフラッシュ・メモリが設けられる。ポインティング・ペンを用いてＰＤＡ本体が操作されることにより生じたデータは，ＰＤＡ本体内のＲＡＭに記憶される（ステップ６４，６５）。ポインティング・ペンがＰＤＡ本体に収納されると（ステップ６６でＹＥＳ），ＰＤＡ本体１０のＲＡＭに記憶されているデータがポインティング・ペンに送信される（ステップ６７）。ＰＤＡ本体の操作により生じたデータは，ポインティング・ペン内のフラッシュ・メモリに記憶される（ステップ５２）。データは，ポインティング・ペンに格納されているので，複数のＰＤＡ本体を使用しても１つのポインティング・ペンを使用している限り，異なるデータが併存することを防止できる。【選択図】　図３
2004038612.tif 000002
【特許請求の範囲】
【請求項１】
表示画面上に表示されている情報のうちポインティング・ディバイスによって指定された情報についてのデータが入力される携帯型情報機器と上記ポインティング・ディバイスとを備えている携帯型情報システムにおいて，
上記携帯型情報機器は，
上記データを入力する入力装置，および
上記データ入力装置から入力されたデータを上記ポインティング・ディバイスに送信する送信回路を備え，
上記ポインティング・ディバイスは，
上記携帯型情報機器の上記送信回路から送信されたデータを受信する受信回路，および
上記受信回路により受信したデータを記憶するメモリ，
を備えた携帯型情報システム。
【請求項２】
上記携帯型情報機器は，
動作電源を供給する電源回路をさらに備え，
上記携帯型情報機器と上記ポインティング・ディバイスとは電源ケーブルによって接続され，
上記携帯型情報機器の上記電源回路からの動作電源が上記電源ケーブルを介して上記ポインティング・ディバイスに供給されるものである，
請求項１に記載の携帯型情報システム。
【請求項３】
上記携帯型情報機器は，
上記ポインティング・ディバイスを収納する収納部，および
上記ポインティング・ディバイスが上記収納部に収納されたことを検出する検出手段をさらに備え，
上記送信回路は，上記検出手段により上記収納部に上記ポインティング・ディバイスが収納されたことに応じて，上記データ入力装置から入力されたデータを上記ポインティング・ディバイスに送信するものである，
請求項１に記載の携帯型情報システム。
【発明の詳細な説明】
【０００１】
【技術分野】
この発明は，携帯型情報機器とポインティング・ディバイスとから構成される携帯型情報システムに関する。
【０００２】
【発明の背景】
ＰＤＡ（ｐｅｒｓｏｎａｌ　ｄｉｇｉｔａｌ　ａｓｓｉｓｔａｎｔｓ）などと呼ばれる携帯型情報システムが市販されている。携帯型情報システムは，スケジュール管理，アドレス管理，電卓などの各種機能を有しているもので，スケジュールの内容，アドレスの内容などが表示画面上に表示される。このような携帯型情報システムは，表示画面が形成されている携帯型情報機器とペン型ディバイスとを備えている。
【０００３】
スケジュール，アドレスなどが表示画面上に表示される。表示画面上に表示されたスケジュール，アドレスなどのうち入力，変更などされる項目がペン型ディバイスを用いて指定される。指定された項目にデータが入力される。入力されたデータは，携帯型情報機器の中のメモリに記憶される。
【０００４】
複数の携帯型情報システムを使用している場合，それらの複数の携帯型情報システムに記憶されているデータを一致させる必要がある場合が多い。しかしながら，データを一致させるためには携帯型情報システムに記憶されているデータをメモリ・カードに移し，そのメモリ・カードを他の携帯型情報システムに装填してデータを読み取る処理などが必要であり，比較的面倒である。
【０００５】
【発明の開示】
この発明は，複数の携帯型情報システムを使用した場合にデータを一致させることを不要とすることを目的とする。
【０００６】
この発明による携帯型情報システムは，表示画面上に表示されている情報のうちポインティング・ディバイスによって指定された情報についてのデータが入力される携帯型情報機器と上記ポインティング・ディバイスとを備えているものである。
【０００７】
上記携帯型情報機器は，上記データを入力する入力装置（タッチパネル，キーパッドなど），および上記データ入力装置から入力されたデータを上記ポインティング・ディバイスに送信する送信回路を備えている。
【０００８】
上記ポインティング・ディバイスは，上記携帯型情報機器の上記送信回路から送信されたデータを受信する受信回路，および上記受信回路により受信したデータを記憶するメモリを備えている。
【０００９】
上記携帯型情報機器と上記ポインティング・ディバイスとをそれぞれ単独で構成するようにしてもよい。
【００１０】
この発明によると，上記携帯型情報機器の表示画面に情報（スケジュール表，アドレス表，アイコンなど）が表示され，その表示されている情報のうちデータを入力等する場所（項目）がポインティング・ディバイスによって指定される。指定された場所に上記携帯型情報機器のデータ入力装置からデータが入力される。入力されたデータは，上記携帯型情報機器の送信回路から上記ポインティング・ディバイスに送信される。
【００１１】
上記携帯型情報機器の送信回路から送信されたデータは，上記ポインティング・ディバイスの受信回路において受信される。受信されたデータは，ポインティング・ディバイスのメモリに記憶される。
【００１２】
上記携帯型情報機器に入力されたデータは，ポインティング・ディバイスのメモリに記憶されることとなる。データは，ポインティング・ディバイスのメモリに記憶されているので，複数の携帯型情報機器を使用していても上記ポインティング・ディバイスを持ち歩くことにより，データを一致させる必要がなくなる。
【００１３】
上記携帯型情報機器は，動作電源を供給する電源回路をさらに備えてもよい。この場合，上記携帯型情報機器と上記ポインティング・ディバイスとは電源ケーブルによって接続され，上記携帯型情報機器の上記電源回路からの動作電源が上記電源ケーブルを介して上記ポインティング・ディバイスに供給されるものとなろう。
【００１４】
上記携帯型情報機器から上記ポインティング・ディバイスへのデータ送信は，有線でもよいし，無線でもよい。また，上記ポインティング・ディバイスのメモリにバックアップ用の電源が必要なときには，上記ポインティング・ディバイスに電源回路が内蔵されているものでもよいし，上述したように，上記携帯型情報機器に内蔵されている電源回路から供給される電源を上記ポインティング・ディバイスに与えるようにしてもよい。
【００１５】
上記携帯型情報機器は，上記ポインティング・ディバイスを収納する収納部，および上記ポインティング・ディバイスが上記収納部に収納されたことを検出する検出手段をさらに備えるようにしてもよい。この場合，上記送信回路は，上記検出手段により上記収納部に上記ポインティング・ディバイスが収納されたことに応じて，上記データ入力装置から入力されたデータを上記ポインティング・ディバイスに送信するものとなろう。
【００１６】
上述ポインティング・ディバイスに，メモリに記憶されているデータを携帯型情報機器に送信する回路を設け，上記携帯型情報機器に上記ポインティング・ディバイスから送信されたデータを受信する回路を設けてもよい。上記携帯型情報機器において入力されたデータを更新し，更新済のデータを上記ポインティング・ディバイスに送信できるようになる。
【００１７】
【実施例の説明】
図１は，この発明の実施例を示すもので，ＰＤＡの斜視図である。
【００１８】
ＰＤＡは，ＰＤＡ本体１０とＰＤＡ本体１０の操作に用いられるポインティング・ペン１とを有している。この実施例においては，ポインティング・ペン１とＰＤＡ本体１０とは着脱自在なケーブル４０によって接続されている。
【００１９】
ＰＤＡ本体１０の上面には，そのほぼ全面に液晶表示画面１２が形成されている。この液晶表示画面１２上にはタッチパネルが形成されている。液晶表示画面１２には，アイコンＩ１からＩ９が表示されている。これらのアイコンＩ１からＩ９がポインティング・ペン１によってタッチされることにより，ＰＤＡに格納されているアプリケーション・ソフトウエアが起動させられ，スケジュール管理，アドレス管理などが行われる。液晶表示画面１２の下方には，各種指令を与えるためのキーパッド１１が形成されている。
【００２０】
ＰＤＡ本体１０の右側面には，ポインティング・ペン１をＰＤＡ本体１０に収納するための収納部１３が形成されている。収納部１３の内部には，ＰＤＡ本体１０にポインティング・ペン１が収納部１３に収納されていることを検出する検出スイッチが設けられている。
【００２１】
図２は，ＰＤＡの電気的構成を示すブロック図である。
【００２２】
ＰＤＡ本体１０にはコネクタ２１が，ポインティング・ペン１には，コネクタ５が形成されている。これらのコネクタ５および２１がケーブル４０によって接続されることにより，ＰＤＡ本体１０とポインティング・ペン１とが接続されている。
【００２３】
ＰＤＡ本体１０は，ＣＰＵ２８によって動作が統括される。
【００２４】
ＰＤＡ本体１０には，動作プログラム等が格納されているＲＯＭ３０が含まれている。
【００２５】
上述したように，ポインティング・ペン１は，ＰＤＡ本体１０に装着することができる。ポインティング・ペン１がＰＤＡ本体１０に装着されたことは検出スイッチ２７によって検出され，検出信号はＣＰＵ２８に入力する。また，キーパッド１１から入力した信号もＣＰＵ２８に入力する。
【００２６】
コントローラ２５によって液晶表示装置２６の表示が制御され，上述したように液晶表示画面１２上にアイコンＩ１からＩ９等が表示される。液晶表示画面１２上には上述したようにタッチパネル２４が形成されており，このタッチパネル２４上がポインティング・ペン１によってタッチされると，そのタッチされたことを示す信号はＣＰＵ２８に入力する。
【００２７】
ＰＤＡ本体１０には，電源回路２２が含まれており，この電源回路２２から各回路に動作電源が供給される。また，電源回路２２から供給される動作電源は，コネクタ２１およびケーブル４０を介してポインティング・ペン１にも与えられる。ポインティング・ペン１は，ＰＤＡ本体１０から供給される動作電源にもとづいて動作することとなる。
【００２８】
さらに，ＰＤＡ本体１０には，インターフェイス２３が設けられている。このインターフェィス２３によってポインティング・ペン１とＰＤＡ本体１０との間でデータ通信が可能となる。
【００２９】
ポインティング・ペン１には，ＰＤＡ本体１０から送信されたデータを記憶するフラッシュ・メモリ２，フラッシュ・メモリ２にデータを記憶し，かつ記憶されているデータを読み取るメモリ・コントローラ３，インターフェイス４およびコネクタ５が含まれている。
【００３０】
ポインティング・ペン１がＰＤＡ本体１０に接続されると，上述したようにＰＤＡ１０本体の電源回路２２から供給される動作電源がポインティング・ペン１に与えられ，その動作電源がポインティング・ペン１の各回路に与えられる。また，ＰＤＡ本体１０から送信されるデータは，コネクタ５およびインターフェイス３を介してメモリ・コントローラ３に与えられる。ＰＤＡ１０から送信されたデータは，メモリ・コントローラ３によりフラッシュ・メモリ３に記録される。フラッシュ・メモリ３に記録されたデータもメモリ・コントローラ３により読み取られ，インターフェイス４およびコネクタ５を介してＰＤＡ本体１０に送信される。
【００３１】
図３は，ＰＤＡを構成するＰＤＡ本体１０およびポインティング・ペン１の処理手順を示すフローチャートである。
【００３２】
この実施例によるＰＤＡは，ＰＤＡが操作された結果得られるデータはポインティング・ペン１のフラッシュ・メモリ２に記憶されるものである。ポインティング・ペン１内にデータが記憶されているので，複数のＰＤＡ本体１０を使用している場合でも，データはポインティング・ペン１に記憶されているのでそのポインティング・ペン１を使用することにより複数のＰＤＡにおいて記憶されているデータの不一致を未然に防止することができる。
【００３３】
ＰＤＡ本体１０の液晶表示画面１２には，データ読み取りアイコンが表示される。ＰＤＡの操作を開始する場合には，ユーザは，ＰＤＡ本体１０の液晶表示画面１２に表示されているアイコンのうち，データ読み取りアイコンをポインティング・ペン１を用いてタッチする（ステップ６１でＹＥＳ）。すると，ＰＤＡ本体１０からポインティング・ペン１にデータ送信指令が与えられる（ステップ６２）。
【００３４】
ＰＤＡ本体１０から送信されたデータ送信指令がポインティング・ペン１において受信されると，フラッシュ・メモリ２に記憶されているデータがメモリ・コントローラ３により読み取られる。読み取られたデータがポインティング・ペン１からＰＤＡ本体１０に送信される（ステップ５１）。
【００３５】
ポインティング・ペン１から送信されたデータがＰＤＡ本体１０において受信されると，その受信されたデータはＲＡＭ２９に一時的に記憶される（ステップ６３）。
【００３６】
ユーザによって，ＰＤＡ本体１０の液晶表示画面１２上に表示されているアイコンのうち所望のアプリケーション・ソフトウエアに対応するアイコンがポインティング・ペン１を用いてタッチされる。すると，対応するアプリケーション・ソフトウエアが起動させられる。起動したソフトウエアにもとづいてポインティング・ペン１またはキーパッド１１を用いてＰＤＡ本体１０の操作が行われる（ステップ６４）。ＰＤＡ本体１０の操作に応じて得られたデータは更新されて，ＲＡＭ２９に記憶される（ステップ６５）。ポインティング・ペン１がＰＤＡ本体１０の収納部１３に収納されるまでステップ６４および６５の処理が繰り返される（ステップ６６でＮＯ）。データの消去指令が与えられた場合にはＲＡＭ９に記憶されている所定のデータが消去される。
【００３７】
ポインティング・ペン１がＰＤＡ本体１０の収納部１３に収納されると（ステップ６６でＹＥＳ），ＲＡＭ２９に記憶されているデータが読み取られ，ポインティング・ペン１に送信される（ステップ６７）。
【００３８】
ＰＤＡ本体１０から送信されたデータがポインティング・ペン１において受信されると，その受信されたデータがフラッシュ・メモリ２に記憶される（ステップ５２）。ＰＤＡ本体１０を操作することにより得られたデータはポインティング・ペン１に記憶されるので，特定のポインティング・ペン１を使用することにより複数のＰＤＡ本体を用いても異なるデータが併存することを未然に防止できる。複数のＰＤＡを使用した場合に生じるデータの不一致を防ぐことができる。
【００３９】
上述した実施例においては，ポインティング・ペン１によってデータ読み取りアイコンがタッチされることにより，ポインティング・ペン１に記憶されているデータがＰＤＡ本体１０に送信されているが，たとえば，ＰＤＡ本体１０にポインティング・ペン１が接続されたことにより，上述した動作が行われるようにしてもよい。
【００４０】
図４は，他の実施例を示すもので，ＰＤＡを構成するＰＤＡ本体１０およびポインティング・ペン１の処理手順を示すフローチャートである。
【００４１】
上述した実施例においては，ＰＤＡの操作が行われている間は，ＰＤＡの操作にもとづいて生じたデータをＰＤＡ本体１０に一時的に記憶しておき，操作が終了した時にポインティング・ペン１に送信している。これに対して，図４に示す実施例は，操作にもとづいて生じたデータをその操作の都度ＰＤＡ本体１０からポインティング・ペン１に送信するものである。
【００４２】
ポインティング・ペン１またはキーパッド１１によってＰＤＡ本体１０が操作されると（ステップ７２），その操作によって生じたデータは，ＰＤＡ本体１０からポインティング・ペン１に送信される（ステップ７３）。
【００４３】
ＰＤＡ本体１０から送信されたデータがポインティング・ペン１において受信されると，その受信されたデータがフラッシュ・メモリ２に与えられ，記憶される（ステップ７１）。
【００４４】
このような処理においても，ＰＤＡ本体１０を操作することにより得られたデータはポインティング・ペン１に記憶されるので，特定のポインティング・ペン１を使用することにより複数のＰＤＡ本体を用いても異なるデータが併存することを未然に防止できる。
【００４５】
図５は，他の実施例を示すものでＰＤＡの電気的構成を示すブロック図である。この図において，図２に示すものと同一物には同一符号を付して説明を省略する。
【００４６】
上述した実施例におけるＰＤＡは，ＰＤＡ本体１０とポインティング・ペン１とはケーブル４０によって接続されていたが，図５に示すＰＤＡは，ＰＤＡ本体１０Ａとポインティング・ペン１Ａとはケーブル４０によっては接続されていない。ＰＤＡ本体１０Ａとポインティング・ペン１Ａとの間は無線によってデータ通信される。このため，ポインティング・ペン１ＡおよびＰＤＡ本体１０Ａのいずれにもコネクタは設けられていない。
【００４７】
ＰＤＡ本体１０Ａには，ポインティング・ペン１Ａと無線でデータ通信するための無線インターフェイス３１が設けられている。
【００４８】
また，ポインティング・ペン１ＡにもＰＤＡ本体１０Ａと無線でデータ通信するための無線インターフェイス７が設けられている。また，ポインティング・ペン１Ａには動作を統括するためのＣＰＵ６が設けられている。さらに，ポインティング・ペン１には，電源回路８が設けられており，この電源回路８から，ポインティング・ペン１Ａを構成する各回路に動作電源が供給される。
【００４９】
このように，ポインティング・ペン１ＡとＰＤＡ本体１０Ａとを無線でデータ通信可能なように構成しても，上述したのと同様に，ＰＤＡ本体１０Ａの操作に応じて生じたデータをポインティング・ペン１Ａに送信し，記憶させることができる。
【００５０】
上述した実施例においてはポインティング・ペンが使用されていたがポインティング・ペンに限らずその他のポインティング・ディバイスを使用できるのはいうまでもない。
【図面の簡単な説明】
【図１】ＰＤＡの斜視図である。
【図２】ＰＤＡの電気的構成を示すブロック図である。
【図３】ＰＤＡの処理手順を示すフローチャートである。
【図４】他の実施例を示すもので，ＰＤＡの処理手順を示すフローチャートである。
【図５】他の実施例を示すもので，ＰＤＡの電気的構成を示すブロック図である。
【符号の説明】
１，１Ａ　ポインティング・ペン
２　フラッシュ・メモリ
３　メモリ・コントローラ
４，７，２３，３１　インターフェイス
６，２８　ＣＰＵ
８，２２　電源回路
１０，１０Ａ　ＰＤＡ本体
１２　液晶表示画面
１３　収納部
２９　ＲＡＭ
４０　ケーブル
【図１】
2004038612.tif 000003
【図２】
2004038612.tif 000004
【図３】
2004038612.tif 000005
【図４】
2004038612.tif 000006
【図５】
2004038612.tif 000007